(57)【要約】      （修正有）【課題】製作が簡単であるが充分な挟み力を備え、かつ変形しにくいファイル挟みを提供する。【解決手段】ファイル挟みはシート状の材料から一体にプレス成形され、それには底枠１を備え、底枠の中央は透かし部１０が備えられ、透かし部は長手方向の反対両側に於いて第一内縁１０１と第二内縁１０２が定義され、底枠の第一内縁個所は底枠が所在する平面と一定角度を挟む直立部２が連接され、直立部の末端は第二内縁方向へ延伸する弾性部３が連接され、弾性部の自由端は弾性的に復帰するよう底枠に相対して移動することができ、並びに底枠と物件を挟む挟み力を構成する。【選択図】図１
0003137161.tif 000002
【実用新案登録請求の範囲】
【請求項１】
ファイル挟みであって、
それはシート状の材料から一体にプレス成形され、それには底枠を備え、底枠の中央は透かし部が備えられ、透かし部は長手方向の反対両側に於いて第一内縁と第二内縁が定義され、底枠の第一内縁個所は底枠が所在する平面と一定角度を挟む直立部が連接され、直立部の末端は第二内縁方向へ延伸する弾性部が連接され、弾性部の自由端は弾性的に復帰するよう底枠に相対して移動することができ、並びに底枠と物件を挟む挟み力を構成することを特徴とするファイル挟み。
【請求項２】
前記弾性部の自由端は更に前記底枠から離れる方向へ折り曲げ部が折り曲げ連接されてあることを特徴とする請求項１記載のファイル挟み。
【請求項３】
前記折り曲げ部と前記弾性部の連接個所は前記底枠が所在する平面とある間隔が隔ててあることを特徴とする請求項２記載のファイル挟み。
【請求項４】
前記折り曲げ部と前記弾性部の連接個所は前記底枠が所在する平面にあることを特徴とする請求項２記載のファイル挟み。
【請求項５】
前記折り曲げ部と前記弾性部の連接個所は前記底枠中央の透かし部を通りぬくことを特徴とする請求項２記載のファイル挟み。
【請求項６】
前記底枠の表面には標示性の図文が印刷されてあることを特徴とする請求項１記載のファイル挟み。
【請求項７】
前記弾性部の表面には標示性の図文が印刷されてあることを特徴とする請求項１記載のファイル挟み。
【考案の詳細な説明】
【技術分野】
【０００１】
本考案はファイル挟みに関するもので、特にシート状のものを挟むファイル挟みを指したものである。
【背景技術】
【０００２】
一般にシート状のもの（例えば紙）をばらばらにならないように一緒に置き、かつホッチキス(Hotchkiss)で装丁して何時でも引き取ることができなくなるようにしたくないため、普通は一つまたは複数のクリップ(clip)を使ってこれらシート状のものを挟むが、クリップの通常の形態では普通の材料で折り曲げ成形され、紙の枚数が多くて全体的厚さが増えると、挟む力が不足になって変形して脱落しやすくなり、このほか、クリップの末端は紙を引き取るときに紙を突き破りやすく、使用上便利といえない。
【考案の開示】
【考案が解決しようとする課題】
【０００３】
本考案の主要目的は製作が簡単であるが充分な挟み力を備え、かつ変形しにくいファイル挟みを提供するものである。
【課題を解決するための手段】
【０００４】
そこで、上述目的を達成するため、本考案のファイル挟みはシート状の材料から一体にプレス成形され、それには底枠を備え、底枠の中央は透かし部が備えられ、透かし部は長手方向の反対両側に於いて第一内縁と第二内縁が定義され、底枠の第一内縁個所は底枠が所在する平面と一定角度を挟む直立部が連接され、直立部の末端は第二内縁方向へ延伸する弾性部が連接され、弾性部の自由端は弾性的に復帰するよう底枠に相対して移動することができ、並びに底枠と物件を挟む挟み力を構成する。
【考案を実施するための最良の形態】
【０００５】
本考案が上記目的、特徴を達成するために採用した技術手段及び効果について、ここに最適実施例を取り上げ、図面と合わして以下説明する。
【０００６】
図１の本考案ファイル挟みの最適実施例を参照ください。それはシート状の材料（例えばスチールシート、steel sheet）から一体にプレス成形され、それには矩形に現れる底枠１を備える。底枠１の中央個所はプレス後に透かし部１０が形成される。透かし部１０は長手方向の反対両側に於いて第一内縁１０１と第二内縁１０２が定義され、底枠１の第一内縁１０１個所は底枠１が所在する平面と一定角度を挟む直立部２が連接される。本実施例に於いて、直立部２の末端は第二内縁１０２方向へ斜め方向に延伸し、かつ逐次底枠１へ接近する弾性部３が連接され、弾性部３の自由端は弾性的に復帰するよう底枠１に相対して移動することができ、並びに底枠１と物件を挟む挟み力を構成する。他に、弾性部３の自由端は更に底枠１を離れる方向へ斜め方向に折り曲げ部４が折り曲げ連接され、折り曲げ部４と底枠１は紙（図面には示されていない）が弾性部３と底枠１の中間に相対挿入に用いられる欠け口５が構成される。
【０００７】
違う挟み力を得るため、プレスの過程に於いて折り曲げ部４と弾性部３の連接個所の位置を制御し、挟み力を変えることができる。図２に示すように、折り曲げ部４と弾性部３の連接個所は底枠１の透かし部１０の上側に位置し、並びに底枠１所在の平面とある間隔を隔てる。また図３及び図４に示すように、折り曲げ部４と弾性部３の連接個所はそれぞれ底枠１所在の平面または底枠１中央を貫き通る透かし部１０に位置し、その中、図４に示すファイル挟みはやや大きい挟み力を得ることができ、図２に示すファイル挟みはやや小さい挟み力を得ることができ、図３に示すファイル挟みは両者の間に介在する。
【０００８】
上述の一体にプレス成形された構造により、製造が容易だけでなく、製造コストが低く、全体形状は閉鎖性に現れ、突き出しかつ尖った尖端がないので、使用時は紙を突き破りにくく、直立部２が設計されてあるので、弾性部３と底枠１には固定の距離があり、やや多くの紙を挟んでも変形しなく、並びに弾性部３の自由端の位置を制御することによって違う挟み力が得られ、製造及び応用はともに大幅に改善される。また、底枠１の前後端または弾性部３の表面には標示性のある図文６、例えば会社の商標、または用途を表す代表図文が印刷され、商業宣伝または分類管理の目的を達成することができる。
【０００９】
上述をまとめると、本考案の『ファイル挟み』は確実に上記構造から予期の効果を達成することができ、かつ請求の前は文献の刊行または公開使用されたことを見たことがなく、新型特許の斬新、進歩及び産業の利用性等要件に符合し、法に従って特許の登録請求を提出します。また以上に述べたのは本考案の実施例だけであり、およそ本考案の精神に沿って行われる簡易な改修及び等効果の変化設計は本考案の請求の範囲内に含まれるべきである。
【図面の簡単な説明】
【００１０】
【図１】本考案ファイル挟みの実施例の立体斜視図である。
【図２】本考案の実施例の側面図一である。
【図３】本考案の実施例の側面図二である。
【図４】本考案の実施例の側面図三である。
【符号の説明】
【００１１】
１    底枠
１０    透かし部
１０１    第一内縁
１０２    第二内縁
２    直立部
３    弾性部
４    折り曲げ部
５    欠け口
６    図文
【図１】
0003137161.tif 000003
【図２】
0003137161.tif 000004
【図３】
0003137161.tif 000005
【図４】
0003137161.tif 000006